(57)【要約】【課題】筐体と加熱コイルユニットの間のスペースが少ない薄型の製品において、コイルユニットの位置に応じた最適な支持を行うこと。【解決手段】基板ベース２はスプリングホルダ５の下部と嵌合して固定する複数のホルダ支持部４を有し、ホルダ支持部４の数をスプリングホルダ５の数よりも多くすることにより、薄型の本体において加熱コイル１１ａ〜１１ｄの位置を変えても、使用するスプリングホルダ５の位置を移動することで、加熱コイル１１ａ〜１１ｄを均等に支持できる場所にバネ６を配置することができる。【選択図】図１
2012243604.tif 000002
【特許請求の範囲】
【請求項１】
本体を構成する外郭と、被加熱物を載置する天板と、前記天板下方に複数配置され、加熱コイルを支持するコイルベースと前記コイルベースを支持するコイルベース支持板とを有する加熱コイルユニットと、制御基板を保持する基板ベースと、前記基板ベース上に設けられたホルダ支持部と、前記ホルダ支持部に載置され、スプリングを保持するスプリングホルダと、前記コイルベース支持板と前記スプリングホルダのとの間に介在し、前記加熱コイルユニットを前記天板に押し付ける荷重を発生させるスプリングとを備え、前記基板ベースは前記スプリングホルダの下部と嵌合して固定する複数のホルダ支持部を有し、前記ホルダ支持部の数は前記スプリングホルダの数よりも多い誘導加熱調理器。
【請求項２】
外郭にコイルユニットの水平方向の位置を規制するための位置規制部を設けた請求項１に記載の誘導加熱調理器。
【請求項３】
位置規制部は外郭側面に設けられた請求項２に記載の誘導加熱調理器。
【請求項４】
バネ定数の異なる複数のスプリングを有する請求項１〜３いずれか１項に記載の誘導加熱調理器。
【請求項５】
ホルダ支持部の高さは場所により異なる請求項１〜４いずれか１項に記載の誘導加熱調理器。
【発明の詳細な説明】
【技術分野】
【０００１】
本発明は、誘導加熱調理器に設けられたコイルユニットの支持構成に関するものである。
【背景技術】
【０００２】
誘導加熱調理器が被加熱物を加熱するためには、加熱コイルと被加熱物との距離、すなわちギャップが重要なパラメータとなり、設計通りのギャップを確保するようにコイルを支持することが重要となる。しかし、加熱コイルの大きさやコイルベース支持板の大きさによって重心位置が異なるため、加熱コイルユニットの種類に応じて最適な保持位置が存在する。従来この種の誘導加熱調理器は図９に示すように、加熱コイルベース３３に形成されたバネ挿入部３４と、筐体３２に設けられた支持金具３１に取り付けられたバネ３５の位置を合わせて位置決めと加熱コイル３６の保持を兼ねているものがあり、支持金具３１の位置を変えることで共用の筐体で加熱コイル３６の位置を変えた製品を提供することができるものである（例えば、特許文献１参照）。
【先行技術文献】
【特許文献】
【０００３】
【特許文献１】特開２００７−３３５０８９号公報
【発明の概要】
【発明が解決しようとする課題】
【０００４】
しかしながら前記従来の構成は、筐体と加熱コイルユニットの間にバネ挿入部が収められるスペースを有することが前提であり、筐体と加熱コイルユニットの間のスペースが少ない薄型の製品には適用することができないという課題を有していた。
【課題を解決するための手段】
【０００５】
前記従来の課題を解決するために、本発明の誘導加熱調理器は、本体を構成する外郭と、被加熱物を載置する天板と、前記天板下方に複数配置され、加熱コイルを支持するコイルベースと前記コイルベースを支持するコイルベース支持板を有する加熱コイルユニットと、制御基板を保持する基板ベースと、前記基板ベース上に設けられたホルダ支持部と、前記ホルダ支持部に載置され、スプリングを保持するスプリングホルダと、前記コイルベース支持板と前記スプリングホルダのとの間に介在し前記加熱コイルユニットを前記天板に押し付ける荷重を発生させるバネとを備え、前記基板ベースは前記スプリングホルダの下部と嵌合して固定する複数のホルダ支持部を有し、前記ホルダ支持部の数は前記スプリングホルダの数よりも多くしたものである。これによって、前記従来技術に必要であったバネ挿入部をコイルベースに形成することが不要になるため、筐体と加熱コイルユニットの間のスペースが少ない薄型の製品において商品展開によりコイルの位置を変えても、スプリングホルダの位置を調整することで、コイルを均等に支持できる場所にバネを配置することができる。
【発明の効果】
【０００６】
本発明の誘導加熱調理器はコイルユニットの支持位置を基板ベースに形成された複数のホルダ支持部の中から最適な場所を選択することで、基板ベースを共用しながら、コイルコイルユニットの位置に応じた最適な位置にバネを配置することができる。
【図面の簡単な説明】
【０００７】
【図１】本発明の実施の形態１における誘導加熱調理器の断面図
【図２】本発明の実施の形態１における誘導加熱調理器のスプリングホルダ部の斜視外略図
【図３】本発明の実施の形態１における天板を外した状態の誘導加熱調理器の斜視概略図
【図４】本発明の実施の形態１における誘導加熱調理器のコイルユニットの支持位置を表す概略図
【図５】本発明の実施の形態１における誘導加熱調理器のコイルユニットの配置を変更した場合の支持位置を表す概略図
【図６】本発明の実施の形態１における誘導加熱調理器のコイルユニットの配置を変更した場合の支持位置を表す概略図
【図７】本発明の実施の形態１における誘導加熱調理器の断面図
【図８】本発明の実施の形態１における誘導加熱調理器の断面図
【図９】従来の誘導加熱調理器のコイルユニットの支持を表す斜視概略図
【発明を実施するための形態】
【０００８】
第１の発明は、本体を構成する外郭と、被加熱物を載置する天板と、天板下方に複数配置され、加熱コイルを支持するコイルベースとコイルベースを支持するコイルベース支持板とを有する加熱コイルユニットと、制御基板を保持する基板ベースと、基板ベース上に設けられたホルダ支持部と、ホルダ支持部に載置され、スプリングを保持するスプリングホルダと、コイルベース支持板とスプリングホルダのとの間に介在し、加熱コイルユニットを天板に押し付ける荷重を発生させるスプリングとを備え、基板ベースはスプリングホルダの下部と嵌合して固定する複数のホルダ支持部を有し、ホルダ支持部の数をスプリングホルダの数よりも多くすることにより、筐体と加熱コイルユニットの間のスペースが少ない薄型の製品において商品展開によりコイルの位置を変えても、スプリングホルダの位置を調整することで、コイルを均等に支持できる場所にスプリングを配置することができる。
【０００９】
第２の発明は、特に、第１の発明の外郭にコイルユニットの水平方向の位置を規制するための位置規制部を設けたことで、同一部品で位置決めとコイルユニットの支持を同時に行う必要が無く、位置決め行う部品と、コイルユニットを保持する部品とをそれぞれ小さく設計することができ、スペースの制約のある薄型の製品においてもそれぞれを適当なスペースに配置することでコイルを均等に支持できる場所にスプリングを配置することができる。
【００１０】
第３の発明は、特に、第２の発明の位置規制部を外郭側面に設けることで、薄型の製品の場合、加熱コイルベース支持板の水平面と位置規制部の根元の部分の距離を小さくすることができ、側面の落下により位置規制部に衝撃荷重が加わったとしても、衝撃によるモーメントを小さくすることができるため、位置規制部の形状を小さくかつ簡素化することができる。
【００１１】
第４の発明は、特に、第１〜第３いずれか１つの発明のスプリングのバネ定数を場所によって異なるバネ定数にすることによって、場所に応じてコイルユニットを支える荷重を設定することができるため、より均等な荷重でコイルユニットを支持することができる。
【００１２】
第５の発明は、特に、第１〜第４いずれか１つの発明のホルダ支持部の高さを場所によって異なる高さにすることで、第４の発明と同様、場所に応じてコイルユニットを支える荷重を設定することができるため、より均等な荷重でコイルユニットを支持することができる。
【００１３】
（実施の形態１）
図１は本発明の実施の形態１における誘導加熱調理器の断面図を示したものである。
【００１４】
図１において外郭１底面に制御基板３を載置した基板ベース２が２個取り付けられている。また、基板ベース２に形成されたホルダ支持部４の上面にはスプリングホルダ５が嵌合されており、スプリングホルダ５にはバネ６が挿入されており、天板７の下方に配置されたコイルユニット８ａ、８ｂのコイルベース支持板１０ａ、１０ｂの下面を支持し、加熱コイル１１ａ、１１ｂと天板７に押し付ける荷重を発生させている。加熱コイル１１ａ、１１ｂは基板ベース２に対して左右異なった位置関係になっており、左右の加熱コイルユニットは外郭１底面に設けられたバネ支持部１２と左右異なった位置に取り付けられたスプリングホルダ５とでバランスの良い場所で左右それぞれのコイルユニット８ａ、８ｂを保持し、加熱コイル１１ａ、１１ｂと被加熱物との距離を一定に保っている。
【００１５】
図２は本発明の実施の形態１におけるスプリングホルダ５部の斜視外略図を示したものである。
【００１６】
図２において外郭１底面には基板ベース２が取り付けられており、基板ベース２には複数のホルダ支持部４が形成されている。スプリングホルダ５は下部をホルダ支持部４に設けられたスプリングホルダ５のスプリングホルダ取付穴１３に挿入して基板ベース２と組み立てられる。また、本発明の誘導加熱調理器は加熱コイルの配置に応じてスプリングホルダ５を挿入するためのホルダ支持部４を選択する構成となっている。
【００１７】
図３は本発明の実施の形態１における天板７を外した状態の誘導加熱調理器の斜視外略図を示したものである。
【００１８】
図３において後側のコイルユニット８ａ、８ｃは外郭１後側面に設けられた位置規制部１４が各々のコイルベース支持板１０ａ〜１０ｄの下面に設けられた開口部を貫通することによって位置決めが行われている。また、前側のコイルユニット８ｂ、８ｄは外郭１左右側面に設けられた位置規制部１４が各々のコイルベース支持板１０ａ〜１０ｄに設けられた開口部を貫通することによって位置決めが行われている。これに加えて、４つのコイルベース支持板１０ａ〜１０ｄの垂直壁上にスペーサ１５を載置することでコイルベース支持板１０ａ〜１０ｄを保持しており、コイルユニット間の相対位置関係を規制するとともに、落下による衝撃でコイルベース支持板同士が接触するのを防止している。
【００１９】
図４においてコイルユニットを支持しているバネ６の位置を実線の円で表しており、また、コイルユニットを保持していないスプリングホルダ５のホルダ支持部４を点線で表しており、図４のようなレイアウトの場合には外郭１底面に設けられたバネ６支持部と基板ベース２に形成されたホルダ支持部４とでコイルユニット８ａ〜８ｄを支持している。
【００２０】
以上のように構成された誘導加熱調理器について、以下その動作・作用について説明する。
【００２１】
本発明の実施の形態１において、図４に示すように前側の２つのコイルユニット８ｂ、８ｄの重心は基板ベース２の投影面の端に位置しているため、基板ベース２に形成されたホルダ支持部４だけでコイルユニット８ｂ、８ｄを支持することが困難である。バランスの取れた支持をするために、外郭１底面に設けられたバネ６のバネ支持部１２と、基板ベース２に形成されたホルダ支持部４に取り付けられたスプリングホルダ５の３箇所でコイルユニット８ｂ、８ｄの支持を行っている。バネ６はコイルベース支持板１０ａ〜１０ｄの平面部を支えており、位置決めは行っていない。これにより、従来の発明で必要であったバネ挿入部が不要になるため、バネ６挿入部形成のために必要であった高さが不要になり、本体を薄くすることができる。また、コイルユニットに横方向の衝撃が加わってもバ
ネ６はコイルベース支持板１０ａ〜１０ｄの下面に接触しているだけであるため、コイルベース支持板１０ａ〜１０ｄの下面がバネ６に対して滑るため、スプリングホルダ５には横方向の衝撃荷重が加わらず、スプリングホルダ５自体の構成を小型・簡素にすることができる。
【００２２】
コイルユニット８ａ〜８ｄの位置決めは４つのコイルベース支持板１０ａ〜１０ｄの相対位置を規制するスペーサ１５と、外郭１側面に設けられ、水平方向の位置規制を行う位置規制部１４により位置決めされている。位置規制部１４にはリブが形成されており、リブがコイルベース支持板１０ａ〜１０ｄに設けられた穴（開口部）を貫通することにより位置決めを行う。これによって、位置規制部１４のリブ根元とコイルベース支持板底面との距離を近くすることができ、落下によりコイルユニット８ａ〜８ｄに横方向の衝撃荷重が加わった際にでも、リブ根元に加わる曲げモーメントを小さくすることができるため、位置規制部１４の構造を簡素化することができ、スペースの少ない薄型の製品にも位置の制約を比較的気にすることなく配置することができる。
【００２３】
また、商品展開により、基板ベース２などの部品は共用してコイルユニット８ａ〜８ｄの場所だけ変える必要が生じた際にも、コイルユニット８ａ〜８ｄの配置に応じて最良な場所にバネ６を配置することができる。
【００２４】
例えば、前側のコイルユニット８ｂ、８ｄの間隔を小さくしたい際には、バネ６の位置を図に示す３点で行うことで、コイルユニットの重心が支持点である３点を結ぶ三角形内に位置するようにできるため、コイルユニットを安定して支持することができる。
【００２５】
また、左側のコイルユニット８ａ、８ｄを１個の大きいコイルユニットにする場合には、大きい支持力が必要になるため、例えば図の４点で支持することで、大きなコイルユニットでも安定して支持することができる。
【００２６】
また、図７のようにバネ定数の異なる第２のバネ１６を使用してコイルユニット８ａ〜８ｄを支持するバネ６のバネ定数を場所によって変えても良く、この場合にはコイルユニットを支持する場所に応じて任意の支持力を設計することができるため、よりバランスの良い支持をすることができる。図７においてはバネ６の種類は２種類であるが、もちろん必要に応じて第３のバネ６、第４のバネ６、…、を使用しても良い。
【００２７】
また、第２のホルダ支持部１７を形成し、ホルダ支持部４の高さを場所によって変えてもよく、この場合は場所によってバネ６の縮み代が変わるため、コイルユニットへの支持力も場所によって任意に設計することができる。このため、よりバランスの良い支持をすることができる。図８においてはホルダ支持部４の種類は２種類であるが、もちろん必要に応じて第３のホルダ支持部４、第４のホルダ支持部４、…、を形成しても良い。
【００２８】
以上のように、基板ベース２等の主要部品を共用しながらレイアウト展開に優れた誘導加熱調理器を提供することができる。
【産業上の利用可能性】
【００２９】
以上のように、本発明にかかる誘導加熱調理器は、基板ベースを共用しながら、コイルコイルユニットの位置に応じた最適な位置にバネを配置することができるので、複数の加熱コイルユニットを搭載する家庭用あるいは業務用の誘導加熱調理機器等の用途にも適用できる。
【符号の説明】
【００３０】
１  外郭
２  基板ベース
３制御基板
４  ホルダ支持部
５  スプリングホルダ
６  バネ
７  天板
８ａ〜８ｄ  コイルユニット
９ａ〜９ｄ  コイルベース
１０ａ〜１０ｄ  コイルベース支持板
１１ａ〜１１ｄ  加熱コイル
１２  バネ支持部
１３  スプリングホルダ取付穴
１４  位置規制部
１５  スペーサ
１６  第２のバネ
１７  第２のホルダ支持部
【図１】
2012243604.tif 000003
【図２】
2012243604.tif 000004
【図３】
2012243604.tif 000005
【図４】
2012243604.tif 000006
【図５】
2012243604.tif 000007
【図６】
2012243604.tif 000008
【図７】
2012243604.tif 000009
【図８】
2012243604.tif 000010
【図９】
2012243604.tif 000011